(57)【要約】      （修正有）【課題】片手で容易に手袋の着脱ができる、簡便な手袋着脱器具を提供する。【解決手段】手袋着脱器具は、壁や柱に固定可能なＬ型のベース１とそれに設置されたクリップ２からなり、手袋の装着時は手袋の手の平側の口元を可動側のクリップ２の、への字状のバーのへの字部３の頂点とベース１によって、挟むことにより、手袋への手の挿入が片手のみで可能になる。更に手袋の脱着時は、クリップ２のバーの先端の二股を手袋の中指と人差し指の手の平側に挿入し、手袋の指先を内側から突っ張ることによって手袋から脱着が可能になる。手袋の脱着過程において、手袋の、手の平側の口元をクリップの、への字部３の頂点まで充分に入り込ませておくことにより、次回の手袋の装着が可能になる。【選択図】図１
0003200844.tif 000002
【実用新案登録請求の範囲】
【請求項１】
手袋の着脱を片手で容易に行える右手用、左手用の一対からなる器具であって、柱や壁に固定する為のL型のベースと、ベースに設置されたクリップとからなる手袋着脱器具。
【請求項２】
クリップの、ベースに固定されていない可動側はその先が、への字状に反り返ったバーになっており  更にその先端は手袋を脱ぐことを容易にするために二股に分かれている請求項１に記載の手袋着脱器具。
【請求項３】
前記クリップはバネ構造を有し、前記バーのへの字の頂点とベースによって手袋の口元を挟むことを特徴とした請求項１に記載の手袋着脱器具。
【請求項４】
前記クリップのバーの、への字部分に対応するベース部分は、手袋の口元部分を挟んだ時のグリップ力を増すために防滑処理を施したことを特徴とする請求項１に記載の手袋着脱器具。
【考案の詳細な説明】
【技術分野】
【０００１】
本考案は手袋の着脱を片手のみで行うことを可能にする、手袋着脱具に関するものである。
【背景技術】
【０００２】
従来のゴム手袋の着脱装置には、圧縮空気を用いてゴム手袋の手首部分を吸引するものがあった（例えば、特許文献1参照）
【先行技術文献】
【特許文献】
【０００３】
【特許文献１】特開2015  042207
【考案の概要】
【考案が解決しようとする課題】
【０００４】
しかし、このゴム手袋の着脱装置においては、該装置の空気の吸引穴づまりの観点から、ゴム手袋の表面が清浄である事が前提であり、またその圧縮空気を送り込む装置が必要となる。
【０００５】
更に、空気による吸引という構成上、ゴム状の手袋に限られていた。
【０００６】
本発明は、このような従来の構成が有していた問題を解決しようとするものであり、ゴム手袋に限らず、手袋の着脱を片手のみで行える簡便な器具を実現することを目的とするものである。
【課題を解決するための手段】
【０００７】
本考案は、これらの課題を解決するために為されたものであって、L型のベースと、それに設置されたクリップからなる。
【０００８】
本考案の手袋着脱器具は、クリップの片辺がベース面に固定され、それに対し、可動するもう一方の片辺はその先に、先端が二股に分かれた、への字状に反ったバーを有する。
【０００９】
手袋の装着に際しては、手袋の口元の手の平側がクリップのバーのへの字の頂点と、それに対応するベース部分によって挟まれた状態、すなわち通常手袋を装着する際、もう一方の介助の手によって手袋の口元をつまむ状態により、手袋の装着可能となる。
【００１０】
手袋に手の挿入を終えた後、クリップのバーのへの字部分によって挟まれていた手袋の口元を解放すべく、手袋内のクリップのバーを引き起こしながら手袋からクリップのバーを引い抜いて、手袋の装着を完了する。
【００１１】
手袋の脱着時は、クリップのバーを手袋の手首の内側から手のひら側に挿入し  二股に分かれたバーの先端を其々手袋の中指と人差し指に挿入して手を手袋から引き抜く。その際手袋の手の平側の口元がクリップのへの字部分を通過出来るよう、バーのへの字部分をベースより浮かす様にバーを手の平側に引き起こす。
【００１２】
手袋の脱着後、手袋の口元が、該クリップのへの字部分によって挟まれた状態に戻っていることにより、次回の手袋の装着が可能になる。
【考案の効果】
【００１３】
本考案によれば、介助する手を必要としないで  片手で手袋の着脱を簡便に行うことができる。
【００１４】
また、本考案のベース部分は壁や柱などに固定可能なため  脱いだ手袋の保管場所として利用できる。
【００１５】
本考案の左手用、右手用を相向き合いに設置すれば  左右の手袋の着脱を同時にスピーディーに行うことが可能である。
【００１６】
従来、手袋の繰り返しの装着によって、とかく汚れがちだった手袋の口元汚れを回避することができる。
【図面の簡単な説明】
【００１７】
【図１】本考案の手袋着脱器具の右手用の基本的な構成を示す斜視図である。
【図２】本考案の手袋着脱器具の右手用に手袋がセットされた状態を示す斜視図である。
【考案を実施するための形態】
【００１８】
ここで本考案に係わる手袋着脱器具の構成は、図1により確認できる。
【００１９】
介助の手を必要とせずに手袋の着脱を可能にするバネを有したクリップは、その片辺がベースに固定されている。
【００２０】
該手袋着脱器具のベース部は、該手袋着脱器具を柱や壁に固定できるように、それぞれの面にビス穴を有したL字型をしている。
【００２１】
該手袋着脱器具のクリップの可動側の片辺は、その先をへの字に反った部分を有するバーとなっており、更にその先端は、其々手袋の中指と人差し指に挿入可能に、二股に分かれた構造になっている。
【００２２】
クリップの先のバーのへの字部分とベースによって、手袋の口元部分の手のひら側を挟み込むために、クリップはバネを有し、更にバーのへの字部分に対応するベース部は滑り止めの構造を有する。
【実施例】
【００２３】
図2は手袋着脱器具の実施例の図である。
手袋の中指と人差し指に、該装置のバーの先端の二股の先端が其々挿入されている。
更に手袋の口元の手のひら側が該装置のバーのへの字部分とそれに対応するベース部によって挟み込まれている。
【００２４】
この状態から、手を下方から手袋に挿入して、クリップの、への字部分で手袋の口元部分が挟まれていることによって手袋の装着が可能となる。
【００２５】
更にこの状態は、手袋を脱着後の状態でもある。
すなわち、該器具のバーの先端の二股部分が其々手袋の中指と人差し指の先端まで挿入され手袋から手が引き抜かれ、更に、手袋の口元の手のひら側が該器具のバーのへの字部分によって挟まれており、次回の手袋装着に備えている。
【符号の説明】
【００２６】
1  ベース
1a  ベースに施された、ベース固定用のビス穴
2  クリップ
3  クリップのバーのへの字部分
3a  クリップのバーのへの字部分に対応する、滑り止め構造を有するベース部分
4  クリップのバーの先端の二股部
5  手袋
【図１】
0003200844.tif 000003
【図２】
0003200844.tif 000004
【手続補正書】
【提出日】平成27年7月2日(2015.7.2)
【手続補正１】
【補正対象書類名】実用新案登録請求の範囲
【補正対象項目名】請求項３
【補正方法】変更
【補正の内容】
【請求項３】
前記クリップは弾性構造を有し、請求項２に記載のバーの、への字の頂点とベースによって手袋の口元を挟持することを特徴とする請求項１に記載の手袋着脱器具。
【手続補正２】
【補正対象書類名】実用新案登録請求の範囲
【補正対象項目名】請求項４
【補正方法】変更
【補正の内容】
【請求項４】
請求項２に記載のバーの、への字部分に対応するベース部分は、手袋の口元部分を挟持する時のグリップ力を増すために、防滑処理を施したことを特徴とする請求項１に記載の手袋着脱器具。
【手続補正書】
【提出日】平成27年8月23日(2015.8.23)
【手続補正１】
【補正対象書類名】実用新案登録請求の範囲
【補正対象項目名】請求項３
【補正方法】変更
【補正の内容】
【請求項３】
前記クリップは弾性構造を有し、前記バーの、への字の頂点とベースによって
手袋の口元を挟持することを特徴とする請求項２に記載の手袋着脱具。
【手続補正２】
【補正対象書類名】実用新案登録請求の範囲
【補正対象項目名】請求項４
【補正方法】変更
【補正の内容】
【請求項４】
前記バーの、への字部分に対応するベース部分は、手袋の口元部分を挟持す
る時のグリップ力を増すために、防滑処理を施したことを特徴とする請求項２に記
載の手袋着脱具。